(57)【特許請求の範囲】
【請求項１】
配送物に貼付される第１伝票上に、配送過程において分離される第２伝票が重ねられ、上側の伝票に記録された情報が下側の伝票に複写される配送伝票において、
前記第１伝票上には、前記第１伝票との間に分離後の前記第２伝票を挟んで一時的に前記第２伝票を保持可能な保持部が設け、前記保持部は、所定幅を有するシート状体であり、前記第１伝票の一対の対向する辺の間に設けられるとともに、前記一対の対向する辺の外縁部と接着されていること、
前記第１伝票の所定の外縁部と、前記第２伝票及び前記保持部とを接着するための接着剤部が設けられ、前記接着剤部は、前記第１伝票と前記保持部とを剥離不能に接着し、前記第１伝票と前記第２伝票とを剥離可能に接着すること、
を特徴とする配送伝票。
【請求項２】
請求項１に記載の配送伝票において、
前記保持部は、前記第１伝票上の情報複写領域以外の領域に配置されていること
を特徴とする配送伝票。
【請求項３】
請求項１又は請求項２に記載の配送伝票において、
前記第２伝票と前記保持部とは、前記第１伝票上において重ならない領域に配置されていることを特徴とする配送伝票。
【請求項４】
請求項１〜請求項３のいずれか１項に記載の配送伝票において、
前記第１伝票の所定の外縁部と、前記第２伝票及び前記保持部とを接着するための接着剤部が設けられ、前記第１伝票と前記保持部とは、前記接着剤部により剥離不能に接着され、前記第１伝票と前記第２伝票とを接着する領域であって前記接着剤部上又はそれと重なる領域の少なくとも一方には、その領域の接着力を弱めるための印刷部が設けられ、前記第１伝票と前記第２伝票とは、前記印刷部を介して前記接着剤部により剥離可能に接着されていること
を特徴とする配送伝票。
【請求項５】
請求項１〜請求項４のいずれか１項に記載の配送伝票において、
前記保持部は、透明フィルムから形成されていること
を特徴とする配送伝票。
【発明の詳細な説明】
【０００１】
【発明の属する技術分野】
この発明は、配送物に貼付される第１伝票上に、配送過程において分離される第２伝票が重ねられ、上側の伝票に記録された情報が下側の伝票に複写される配送伝票に関するものである。
【０００２】
【従来の技術】
図５は、従来の配送伝票の一例を示す分解斜視図である。この例の配送伝票１０は、厚み方向に重ねられた５枚の配送票１１〜１５から構成されている。最下部の配送票１５は、宅配荷物等の配送物に貼付され、荷札となる配送票である。一般には、配送票１５の裏面には接着剤が塗布され、その接着剤の上部が剥離紙に覆われている。
【０００３】
各配送票１１〜１５の図中左側外縁部の所定面側には、接着剤１６（図中、斜線部領域）が塗布され、各配送票１１〜１５が剥離不能に綴じ合わせられている。そして、配送票１１〜１４の上記接着剤が塗布された領域の内側のラインには、裁断可能なミシン目１７が形成されている。さらに、配送票１５の図中上下側の外縁部には、仮接着剤１８が塗布されており、配送票１４と１５とは、この領域において剥離可能に接着されている。
【０００４】
また、配送票１１〜１４の裏面側の所定領域には、カーボン層（図示せず）が設けられている。これにより、配送票１１上に手書き又は印字等により宛名等の情報が記録されると、その情報の全部又は一部が上記カーボン層により、その下側の配送票１２〜１５上に複写される。
【０００５】
配送伝票１０は、配送物に貼付される。この配送物は、その取扱店から所定の物流過程を経て、受取人に渡される。
配送票１１〜１３は、例えば差出人控えや配送受付控えとなる伝票であり、それぞれ物流過程でミシン目１７の裁断により分離される。配送業者に配送物が渡るときは、配送伝票１０は、配送票１４と１５のみとなる。
そして、配送業者が受取人に配送物を運ぶときは、最後の配送票１４を分離する（図６）。この配送票１４は、配達証明票として、受取人から判を押してもらうための伝票である。
【０００６】
ここで、配送票１４の図５中、上下側外縁部は、接着剤１８によって配送票１５と剥離可能に接着されているので、この領域において配送票１４を剥離することができる。そして、左側外縁部のミシン目１７を裁断すれば、配送票１５上から配送票１４を分離することができる。
配送業者のドライバーは、配送票１５のみが貼付された配送物を荷台に積み、運転席で配送票１４を見てそれに記録された受取人に配送物を届ける。
【０００７】
【発明が解決しようとする課題】
しかし、前述の従来の配送伝票１０では、以下の課題があった。
配送業者のドライバーが配送物を届けに行った場合に、受取人が不在のときがある。このときは、ドライバーは、配送物を持ち帰り、一時的に倉庫に保管する。ここで、配送時に一旦剥離した配送票１４は、再度配送物に添付することができないという問題があった。したがって、配送物と配送票１４とを別々に管理しなければならず、煩雑となり、さらに誤配送や配送票１４の紛失を招くおそれがあるという問題があった。
【０００８】
一方、従来の配送伝票において、下側の２枚の配送票を袋状に接着し、この内部に配送票を収納可能としたものが知られている。しかし、この形状では、袋状に形成する配送票を他の配送票より大きく形成しなければならず、コストが高くつくという問題がある。
【０００９】
本発明の課題は、コストを高くすることなく、一旦分離した配送票を配送物に再添付することができるようにすることにある。
【００１０】
【課題を解決するための手段】
請求項１の発明は、配送物に貼付される第１伝票上に、配送過程において分離される第２伝票が重ねられ、上側の伝票に記録された情報が下側の伝票に複写される配送伝票において、前記第１伝票上には、前記第１伝票との間に分離後の前記第２伝票を挟んで一時的に前記第２伝票を保持可能な保持部が設け、前記保持部は、所定幅を有するシート状体であり、前記第１伝票の一対の対向する辺の間に設けられるとともに、前記一対の対向する辺の外縁部と接着されていること、前記第１伝票の所定の外縁部と、前記第２伝票及び前記保持部とを接着するための接着剤部が設けられ、前記接着剤部は、前記第１伝票と前記保持部とを剥離不能に接着し、前記第１伝票と前記第２伝票とを剥離可能に接着すること、を特徴とする。
【００１１】
請求項２の発明は、請求項１に記載の配送伝票において、前記保持部は、前記第１伝票上の情報複写領域以外の領域に配置されていることを特徴とする。
請求項３の発明は、請求項１又は請求項２に記載の配送伝票において、前記第２伝票と前記保持部とは、前記第１伝票上において重ならない領域に配置されていることを特徴とする。
【００１２】
請求項４の発明は、請求項１〜請求項３のいずれか１項に記載の配送伝票において、前記第１伝票の所定の外縁部と、前記第２伝票及び前記保持部とを接着するための接着剤部が設けられ、前記第１伝票と前記保持部とは、前記接着剤部により剥離不能に接着され、前記第１伝票と前記第２伝票とを接着する領域であって前記接着剤部上又はそれと重なる領域の少なくとも一方には、その領域の接着力を弱めるための印刷部が設けられ、前記第１伝票と前記第２伝票とは、前記印刷部を介して前記接着剤部により剥離可能に接着されていることを特徴とする。
請求項５の発明は、請求項１〜請求項４のいずれか１項に記載の配送伝票において、前記保持部は、透明フィルムから形成されていることを特徴とする。
【００１４】
【発明の実施の形態】
以下、図面等を参照して、本発明の一実施形態について説明する。図１は、本発明による配送伝票の第１の実施形態を示す分解斜視図である。
この実施形態の配送伝票２０は、厚み方向に重ねられた５枚の配送票２１〜２５を備える。配送票２１〜２３及び２５には、一般の紙材が用いられ、配送票２４には、合成紙等が用いられる。これは、雨露にさらされる等の環境下でも、配送票２４の十分な強度を確保するためである。
【００１５】
配送票２１〜２３は、例えば差出人控え、売場控え、ホスト（管理者側）控え、又は配送受付控え等となる伝票であり、配送伝票２０が用いられる物流過程に応じて種々選択設定されるものである。したがって、配送伝票２０は、本実施形態で示した伝票枚数に限られるものではない。
配送票２４は、配達証明票として、受取人から判を押してもらうための伝票である。配送票２４は、他の配送票より長さが短く形成されており、その右側領域には、保持部２６が並設されている。保持部２６は、この実施形態では透明フィルムから形成されている。
また、配送票２１〜２５及び保持部２６の天地方向のサイズを等しく形成しているが、これに限定されるものではない。しかし、配送票２１〜２５及び保持部２６の天地方向のサイズを等しくすれば、無駄な用紙が発生せず、製造上の利点がある。すなわち、各配送票２１〜２５及び保持部２６を重ねて、配送伝票２０を製造する際に、それぞれ天地方向に連続して形成されている連続用紙を重ねるだけで良く、袋状内部に複数の配送票を複写可能に収納した従来の配送伝票のように、それぞれ独立した複数の配送票を、各伝票ごとに位置合わせをして、重ねる必要がない。
【００１６】
配送票２５は、配送物に貼付され荷札となる配送票である。図示しないが、配送票２５の裏面には、配送物に貼付するための接着剤が塗布され、その接着剤の上面は剥離紙に覆われている。
各配送票２１〜２５の図中左側外縁部の所定面側には、接着剤２７（図中、斜線部領域）が塗布され、各配送票２１〜２５は、この領域で剥離不能に綴じ合わせられている。そして、配送票２１〜２４の上記接着剤が塗布された領域の内側のラインには、裁断可能なミシン目２８が形成されている。
さらに、配送票２５の図中上下側の外縁部の所定領域（図中、斜線部領域）には、上述と同様の接着剤２７（２７ａ，２７ｂ）が塗布されている。そのうちの接着剤２７ｂには、保持部２６が接着されている。
【００１７】
また、配送票２５の接着剤２７ａ上には、さらに印刷２９が施される（図２）。印刷２９のパターンは、黒ベタや所定の網目パターン等、いかなるものであっても良い。この印刷２９は、接着剤２７ａの接着力を弱めるために設けられるものである。配送票２４と２５とは、この印刷２９を介して接着剤２７ａにより接着される。これにより、両者間の接着力が弱められ、両者が剥離可能に接着される。このように形成することにより、剥離可能な接着剤と剥離不能な接着剤との２種類の接着剤を用いる必要がない。
【００１８】
また、配送票２１〜２４の裏面側の所定領域には、カーボン層（図示せず）が設けられている。これにより、配送票２１上に手書き又は印字等により宛名等の情報が記録されると、その情報の全部又は一部が前記カーボン層により、その下側の配送票２２〜２５上に複写される。一方、上記カーボン層に限らず、例えば発色剤と顕色剤とからなるノンカーボン層を配送票２１〜２５の所定面に設けて、情報を複写可能に形成しても良い。
なお、図示しないが、配送票２１〜２５上には、差出人や受取人の宛名等を記録するための欄が設けられている。
【００１９】
配送伝票２０は、配送物に貼付される。そして、配送物の取扱店から所定の物流過程を経て、受取人に渡される。
配送票２１〜２３は、それぞれ物流過程でミシン目２８の裁断により分離される。配送業者に配送物が渡るときは、配送伝票２０は、配送票２４と２５のみとなる。
【００２０】
配送業者が受取人に配送物を運ぶときは、最後の配送票２４を分離する。ここで、配送票２４の図１中、上下側外縁部は印刷２９を介して接着剤２７ａと剥離可能に接着されているので、この領域において配送票２４を剥離することができる。そして、左側外縁部のミシン目２８を裁断すれば、配送票２５上から配送票２４を分離することができる。
【００２１】
配送業者のドライバーは、配送物を届けに行った場合に受取人が不在のときは、配送物を持ち帰り、一時的に倉庫に保管する。このときに、図３に示すように、剥離した配送票２４を、配送票２５と保持部２６との間に挟んでおくことができる。これにより、配送票２４を配送物に一時的に保持しておくことができる。したがって、配送物と配送票２４とを別々に管理する必要がなく、配送票２４の紛失のおそれもなくなる。
【００２２】
配送物を再度配送するときは、この部分から配送票２４を抜き取れば良い。受取人がさらに不在のときは、上述と同様に、配送票２４を配送物に再度添付しておけば良い。
以上により、コストを高くすることなく、一旦剥離した配送票２４を、配送物に再添付することができる。
【００２３】
図４は、本発明による配送伝票の第２の実施形態を示す分解斜視図である。図４の配送伝票２０Ａでは、下側２枚の配送票２４及び２５Ａのみを図示し、上側の配送票２１〜２３については第１の実施形態と同様であるので、図示を省略する。この実施形態では、保持部２６は、２つ並設して設けられている。そして、配送票２５Ａ上の図中上下側外縁部には、接着剤２７ａ〜２７ｃがそれぞれ配送票２４、２つの保持部２６に対応する位置に設けられている。
【００２４】
２つの保持部２６は、接着剤２７ｂ及び２７ｃにより、配送票２５Ａと剥離不能に接着される。また、接着剤２７ａ上には、第１の実施形態と同様に印刷２９が施されることによってその表面の接着力が弱められ、印刷２９を介して配送票２４と２５Ａとが接着剤２７ａにより剥離可能に接着される。
これにより、配送票２５Ａと保持部２６との間に剥離した配送票２４を挟んだときは、配送票２４が２つの保持部２６によって抑えられるので、配送票２４の保持力を高めることができる。
【００２５】
以上、本発明の一実施形態について説明したが、本発明は、上述した実施形態に限定されることなく、均等の範囲内で以下のような種々の変形が可能である。
例えば、実施形態では、保持部２６は、透明フィルムから形成したが、他の配送票と同一の紙材から形成しても良い。保持部２６を透明フィルム等から形成したときは、配送票２５上の保持部２６と重なる領域に印刷しても、その印刷内容を見ることができる。一方、保持部２６を不透明体から形成したときは、その上面に印刷等の適性を与えておけば、保持部２６上に印刷等をすることができるようになる。
【００２６】
また、保持部２６は、図１のように配送伝票２０の右側外縁部に設けることに限らず、いかなる位置でも良い。さらに、保持部２６の材質が複写適性を有せば、配送票２５の情報複写領域上に保持部２６を設けても良い。
さらにまた、接着剤２７ａの配送票２４に対する剥離可能処理として、印刷２９を用いる代わりに、配送票２４の裏面に剥離処理を施しても良い。なお、配送票２１〜２５間の複写方式としてカーボン層を利用する場合、複写能力の向上のために、配送票２１〜２４の裏面とカーボン層との間に、必要に応じて剥離層を設けることがあるが、この剥離層を接着剤２７ａの配送票２４に対する剥離可能処理として利用しても良い。
【００２７】
【発明の効果】
本発明によれば、以下のような効果がある。
（１）コストを高くすることなく、一旦分離した第２伝票を、配送物に再添付することができる。また、保持部を最も広く設けることができる。
（２）配送伝票の複写適性を妨げることなく、保持部を設けることができる。
【００２８】
（３）配送伝票の平滑性を保つことができる。また、第２伝票と第１伝票、及び保持部  と第１伝票との接着を、それぞれ個別に行いやすくなる。
（４）共通の接着剤部を設けた後に、第１伝票と保持部とを剥離不能に接着するととも  に、第１伝票と第２伝票とを剥離可能に接着することができる。
（５）保持部の下側に記録した内容を見ることができる。
【図面の簡単な説明】
【図１】本発明による配送伝票の第１の実施形態を示す分解斜視図である。
【図２】配送票２５の接着剤２７ａ上に施される印刷２９を示す図である。
【図３】剥離した配送票２４を、配送票２５と保持部２６との間に挟んだときの様子を示す斜視図である。
【図４】本発明による配送伝票の第２の実施形態の要部を示す分解斜視図である。
【図５】従来の配送伝票の一例を示す分解斜視図である。
【図６】配送票１５上から配送票１４を分離するときの様子を示す斜視図である。
【符号の説明】
２０  配送伝票
２１，２２，２３，２４，２５  配送票
２６  保持部
２７  接着剤
２８  ミシン目
２９  印刷
【図１】
0003724755.tif 000002
【図２】
0003724755.tif 000003
【図３】
0003724755.tif 000004
【図４】
0003724755.tif 000005
【図５】
0003724755.tif 000006
【図６】
0003724755.tif 000007